(57)【要約】【課題】視認しやすい日付表示と斬新なデザインの暦時計を実現する。【解決手段】暦時計１は、１箇月である３１日分の暦表示のうち、１０桁数字を指示する日付用１０桁針６と、１桁数字を指示する日付用１桁針７と、日付用１０桁針６が指示する４個の数字である０，１，２，３またはその数字に対応した内容を表す領域を有する日付１０桁表示目盛り１１と、日付用１桁針７が指示する１０個の数字である０から９またはその数字に対応した内容を表す領域を有する日付１桁表示目盛り１２と、を有する。このような構成にすることで、視認しやすい日付表示と斬新なデザインの暦時計を実現できる。【選択図】図１
2011128027.tif 000002
【特許請求の範囲】
【請求項１】
１箇月である３１日分の暦表示のうち、１０桁数字を指示する日付用１０桁針と、１桁数字を指示する日付用１桁針と、
上記日付用１０桁針が固定される日１０桁針車と、
上記日付用１桁針が固定される日１桁針車と、
同心状に配設される日１桁送りカムおよび日１０桁送りカムと、
上記日１桁送りカムの回転に連動して上記日１桁針車を回動する日１桁送り部材と、
上記日１０桁送りカムの回転に連動して上記日１０桁針車を回動する日１０桁送り部材と、
を有することを特徴とする暦時計。
【請求項２】
請求項１に記載の暦時計において、
前記日付用１０桁針が、前記日１０桁送り部材により日１０桁表示目盛の「０」を表示する位置から「３」を表示する位置まで時計回り方向に回動された後、４８時間経過後に、前記日１０桁送りカムに設けられた突起部と前記日１０桁送り部材との係合が解除され、反時計回り方向に回動され上記「０」を表示する位置に復帰されることを特徴とする暦時計。
【請求項３】
請求項１または請求項２に記載の暦時計において、
前記日付用１桁針が、前記日１桁送り部材によって日付１桁表示目盛の「１」の表示位置から「９」の表示位置までと、さらに「９」に続く「０」の表示位置まで反時計回り方向に回動された後、２４時間経過後に、前記日１桁送りカムに設けられた突起部と前記日１桁送り部材との係合が解除され、時計回り方向に回動され上記「１」の表示位置に復帰されることを特徴とする暦時計。
【請求項４】
１箇月である３１日分の暦表示のうち、１０桁数字を指示する日付用１０桁針と、１桁数字を指示する日付用１桁針と、
上記日付用１０桁針が指示する４個の数字である０，１，２，３またはその数字に対応した内容を表す領域を有する日付１０桁表示目盛りと、
上記日付用１桁針が指示する１０個の数字である０から９またはその数字に対応した内容を表す領域を有する日付１桁表示目盛りと、
を有することを特徴とする暦時計。
【請求項５】
請求項４に記載の暦時計において、
前記日付１０桁表示目盛りと前記日付１桁表示目盛りとがそれぞれ円弧状に形成されると共に互いが離間して配置されていることを特徴とする暦時計。
【請求項６】
請求項１から請求項５のいずれか一項に記載の暦時計において、
前記日１０桁針車と前記日１桁針車とが、同心状に配設されるとともに、それぞれが独立して回動可能にされていることを特徴とする暦時計。
【請求項７】
請求項１から請求項５のいずれか一項に記載の暦時計において、
前記日１０桁針車と前記日１桁針車とが、平面方向に離間して配設されるとともに、それぞれが独立して回動可能にされていることを特徴とする暦時計。
【請求項８】
請求項１から請求項７のいずれか一項に記載の暦時計において、
前記日付用１０桁針と前記日付用１桁針それぞれの日付を指示する先端部が互いに交差しないよう配設されることを特徴とする暦時計。  
【発明の詳細な説明】
【技術分野】
【０００１】
本発明は、暦時計に関する。
【背景技術】
【０００２】
古くから、時計には日付や曜日などの暦表示が可能なものが多く存在している。特に、指針で時刻表示を行うアナログ時計の場合、文字板に開けられた暦窓に文字や数字で暦表示するものが一般的である。また、このような一般的なものの他に、メカニカルなデザインを実現するために、指針を用いて暦表示を行うものも多く商品化されている。
【０００３】
指針で日付表示を行う場合、１箇月である３１日間を円形に目盛表示し、指針を回転させるというものがある（たとえば、特許文献１参照）。
【０００４】
また、１箇月である３１日を扇形に目盛表示し、指針を扇形に往復駆動して日付を指示するという、いわゆるレトログラード表示（ｒｅｔｒｏｇｒａｄｅ  ｔｙｐｅ）の暦時計というものがある（たとえば、特許文献２参照）。
【先行技術文献】
【特許文献】
【０００５】
【特許文献１】特開平７−２０２５７号公報（第４図）
【特許文献２】特開平１１−６８８０号公報（第１図）
【発明の概要】
【発明が解決しようとする課題】
【０００６】
上述した特許文献１では、１箇月である３１日を円形に目盛表示し、特許文献２では１箇月である３１日を扇形に目盛表示している。これらは時針、分針、秒針を時計の中央に配設する場合、共に目盛表示面積が十分に確保できず、日付の目盛を全て数字表示することが困難であり、１日おきに数字表示することが限界である。
【０００７】
また、円形表示であっても、扇形表示であっても、隣り合う日付の間隔が小さいため、構成部品の製造上のばらつきの影響で指示すべき日付の前後の日付を指示してしまい、正確な日付が分かりにくいという課題を有している。
【０００８】
また、前述した特許文献１や特許文献２の構成による暦時計は、数多く商品化されているため、一般化しすぎており、斬新なデザインの暦時計が市場から求められている。
【課題を解決するための手段】
【０００９】
本発明は、上述の課題の少なくとも一部を解決するためになされたものであり、以下の形態または適用例として実現することが可能である。
【００１０】
本発明の１つの形態例に係る暦時計は、１箇月である３１日分の暦表示のうち、１０桁数字を指示する日付用１０桁針と、１桁数字を指示する日付用１桁針と、日付用１０桁針が固定される日１０桁針車と、日付用１桁針が固定される日１桁針車と、同心状に配設される日１桁送りカムおよび日１０桁送りカムと、日１桁送りカムの回転に連動して日１桁針車を回動する日１桁送り部材と、日１０桁送りカムの回転に連動して日１０桁針車を回動する日１０桁送り部材と、を有することを特徴とする。
【００１１】
本形態例によれば、１箇月の日付表示のうち、１０桁数字の指示と、１桁数字の指示とをそれぞれ日付用１０桁針および日付用１桁針で独立して表示するため、特に、ウオッチのような文字板の表示面積が小さい場合であっても、日付の１０桁と、１桁とを明確に指示することができる。
【００１２】
また、日付用１０桁針が、日１０桁送り部材により日１０桁表示目盛の「０」を表示する位置から「３」を表示する位置まで時計回り方向に回動された後、４８時間経過後に、日１０桁送りカムに設けられた突起部と日１０桁送り部材との係合が解除され、反時計回り方向に回動され「０」を表示する位置に復帰されることが好ましい。
【００１３】
ここで、日付用１０桁針が日１０桁表示目盛の「０」を指示する期間は、日付の１日から９日であって、「１」を指示する期間は日付の１０日から１９日、「２」を示す期間は日付の２０日から２９日、「３」を指示する期間は日付の３０日から３１日の期間である。
【００１４】
このようにすることで、日付用１０桁針は、日１０桁表示目盛の「０」から「３」までを１０日毎に指示し、日付の３１日から１日に移行するときに、日１０桁送り部材と、日１０桁送りカムの突起部と、の係合が解除され、瞬間的に日１０桁表示目盛の「０」を指示することができる。また、日付用１０桁針は、略扇形に往復回動する、いわゆるレトログラード表示を可能にする。
【００１５】
さらに、日付用１桁針が、日１桁送り部材によって日付１桁表示目盛の「１」の表示位置から「９」の表示位置までと、さらに「９」に続く「０」の表示位置まで反時計回り方向に回動された後、２４時間経過後に、日１桁送りカムに設けられた突起部と日１桁送り部材との係合が解除され、時計回り方向に回動され上記「１」の表示位置に復帰されることが好ましい。
【００１６】
このようにすれば、たとえば、日付が１１日の０時に達したとき、２１日の０時に達したとき、３１の０時に達したとき、の３つの時点で、日付用１桁針は１日表示に素早く復帰する。したがって、日付用１桁針は、１箇月である３１日のうちの１桁数字の「１」から「０」の表示を繰り返し指示することができる。また、日付用１桁針は、略扇形に往復回動する、いわゆるレトログラード表示を可能にする。
【００１７】
本発明の他の形態例に係る暦時計は、１箇月である３１日分の暦表示のうち、１０桁数字を指示する日付用１０桁針と、１桁数字を指示する日付用１桁針と、日付用１０桁針が指示する４個の数字である０，１，２，３またはその数字に対応した内容を表す領域を有する日付１０桁表示目盛りと、日付用１桁針が指示する１０個の数字である０から９またはその数字に対応した内容を表す領域を有する日付１桁表示目盛りと、を有することを特徴とする。
【００１８】
この形態例によれば、１箇月の日付表示のうち、１０桁数字の指示と、１桁数字の指示とをそれぞれ日付用１０桁針および日付用１桁針で独立して表示するため、文字板の表示面積が小さい場合であっても、日付の１０桁と、１桁とを明確に指示することができる。
【００１９】
また、日付１０桁表示目盛りと日付１桁表示目盛りとがそれぞれ円弧状に形成されると共に互いが離間して配置されているようにしてもよい。
【００２０】
このような構成にすれば、日付の１０桁と１桁が分かりやすくなる。また、日付用１０桁針と日付用１桁針が、共に略扇形に往復回動する、いわゆるレトログラード表示が可能となる。
【００２１】
また、日１０桁針車と日１桁針車とが、同心状に配設されるとともに、それぞれが独立して回動可能にされていることが望ましい。
【００２２】
このような構成にすれば、ウオッチのような小さいスペースの中に、日１０桁針車と日１桁針車とを配設することができる。また、日付用１０桁針と日付用１桁針とを通常の時針および分針のようなデザインを実現できるという効果がある。
【００２３】
また、日１０桁針車と日１桁針車とが、平面方向に離間して配設されるとともに、それぞれが独立して回動可能にされているようにしてもよい。
【００２４】
このような構成にすれば、日付用１０桁針と日付用１桁針とを平面方向に離間して配設することで、従来にない斬新なデザインを実現できるという効果がある。
【００２５】
また、日付用１０桁針と日付用１桁針それぞれの日付を指示する先端部が互いに交差しないよう配設することが望ましい。
【００２６】
このようにすれば、日付の１０桁数字と１桁数字とをより視認しやすくなり、読み違えることを排除することができる。
【図面の簡単な説明】
【００２７】
【図１】本発明の実施形態１に係る暦時計の１例を示す外観平面図である。
【図２】図１に示す暦時計の内部である暦機構を示す平面図である。
【図３】図１に示す暦時計の日付表示機構を示す部分断面図である。
【図４】図１に示す暦時計の月表示機構を示す部分断面図である。
【図５】図１に示す暦時計の閏年表示機構を示す部分断面図である。
【図６】図１に示す暦時計の月齢表示機構を示す部分断面図である。
【図７】図１に示す暦時計の曜日表示機構を示す部分断面図である。
【図８】図１に示す暦時計の日１桁針車の駆動を示す駆動説明図である。
【図９】図１に示す暦時計の日１０桁針車の駆動を示す駆動説明図である。
【図１０】図１に示す暦時計の日１桁送りカムと日１０桁送りカムとの位相を示す平面説明図である。
【図１１】本発明の実施形態２に係る暦時計の１例を示す外観平面図である。
【図１２】図１１に示す暦時計の日付表示機構を示す部分平面図である。
【図１３】図１１に示す暦時計の日付表示機構を示す部分断面図である。
【図１４】図１１に示す暦時計の日１桁針車の駆動を示す駆動説明図である。
【図１５】図１１に示す暦時計の日１０桁針車の駆動を示す駆動説明図である。
【発明を実施するための形態】
【００２８】
以下、本発明の実施形態について図面を参照しながら説明する。なお、実施形態にて説明する暦時計は、置時計、掛け時計、ウオッチ等、その形態に限定されないが、ウオッチを例示して説明する。また、以下の説明で参照する図は、図示の便宜上、部材または部分の縦横の縮尺は実際のものとは異なる模式図である。
【００２９】
（実施形態１）
図１は、実施形態１に係る暦時計の１例を示す外観平面図である。図１において、暦時計１は、中央部に時刻を表示する時針２、分針３、秒針４が配設されている。また、時計１の１２時方向には、日付を表示するための日付用１０桁針６及び日付用１桁針７が配設されている。また、暦時計１の６時方向には、曜日を表示する曜日用表示針８が、３時方向には、月齢を表示する月齢用表示板９が、９時方向には、１２箇月を表示する月用表示針５がそれぞれ配設されている。さらに、８時方向には閏年または平年を表示する閏年表示部１０が配設されている。なお、図では、閏年を意味する「Ｌ」（ＬＥＡＰ  ＹＥＡＲ）が例示されている。
【００３０】
日付表示として、日付の１０桁を表示する日付１０桁表示目盛１１と、日付の１桁を表示する日付１桁表示目盛１２とが設けられ、それぞれ独立した日付用１０桁針６および日付用１桁針７によって日付が指示される。図では、１１日が表示されている。また、１２箇月表示として月表示目盛１３が、曜日表示として曜表示目盛１４がそれぞれ設けられている。
【００３１】
図示したように、日付表示、曜日表示、１２箇月表示は、それぞれ略扇型の表示目盛であって、各表示針は、扇型表示の初期表示位置から最終表示位置の間を移動しながら各表示目盛を指示する。つまり、１２箇月表示では１月（ＪＡＮ）から１２月（ＤＥＣ）まで月用表示針５が時計回りに回動して指示し、１２月まで達すると１月表示まで反時計回りに瞬間的に回動して、１月の表示に復帰する。
【００３２】
また、曜日表示では、月曜日（ＭＯＮ）から日曜日（ＳＵＮ）まで曜日用表示針８が時計回りに回動して指示し、日曜日まで達すると月曜日表示まで反時計回りに瞬間的に回動して、月曜日の表示に復帰する。
【００３３】
日付表示は、１箇月である３１日のうち１０桁数字と１桁数字とを、独立した日付用１０桁針６および日付用１桁針７がそれぞれ指示することによって表示される。１０桁数字は、「０」から「３」までを日付用１０桁針６が時計回りに回動して指示し、１桁数字は、「１」から「０」までを日付用１桁針７が反時計回りに回動して指示する。
【００３４】
日付用１０桁針６と日付用１桁針７との関係をさらに詳しく説明する。日付が１日から９日の間では、日付用１０桁針６は「０」を指示しており、日付が１０日になるとき日付用１桁針７が「０」を指示し（繰上げ表示位置）、日付用１０桁針６は「１」を指示する。そして、１１日になるときには日付用１桁針７は「１」を指示する。
【００３５】
さらに、日付が２０日になるとき、日付用１桁針７が「０」を指示し（つまり、繰上げ表示位置）、日付用１０桁針６は「２」を指示する。そして、２１日になるときには、日付用１桁針７は「１」を指示する。また、日付が３０日になるとき、日付用１桁針７が「０」を指示し（つまり、繰上げ表示位置）、日付用１０桁針６は「３」を指示する。そして、３１日になるときには日付用１桁針７は「１」を指示する。
【００３６】
なお、３１日から次の月の１日になるとき、日付用１桁針７は「１」を指示したまま日付用１０桁針６が「０」を指示する。つまり、３１日になってから２４時間経過後に日付用１０桁針が「０」を表示するよう回動する。このようにして日付は、日付用１０桁針６と日付用１桁針７とが連動し、かつ、独立して１０桁数字と１桁数字とを指示することができる。
【００３７】
続いて、本実施形態１の暦時計１の構成について図面を参照して説明する。図２は、本実施形態１に係る暦時計１の暦機構を示す平面図であり、図３は日付表示機構、図４は月表示機構、図５は閏年表示機構、図６は月齢表示機構、図７は曜日表示機構のそれぞれを示す部分断面図である。まず、図２および図３を参照して日付表示機構について説明する。
【００３８】
本実施形態１の暦時計１は、各断面図に示すとおり、基礎ムーブメント３０の上方（文字板３７方向）に暦機構を載置して構成される。基礎ムーブメント３０には、動力源としてのぜんまい、脱進機、調速機構、増速機構及び減速機構等、時刻表示機構等により構成されている。これら各機構は従来の機械式時計における周知の構成のものを採用するため説明を省略する。なお、基礎ムーブメント３０としては、機械式時計のほかにクオーツ式アナログ時計を採用することができる。
【００３９】
図３に示すように、暦時計１の中央には、時刻を表示するために駆動される秒針車３１、分針車３２、筒車３３が、筒車３３の筒部に他のものの軸部が重ねて挿入されるように装着されている。秒針車３１には秒針４が取り付けられ、分針車３２には分針３が取り付けられ、筒車３３には時針２が取り付けられている。これらの構造及び作用は周知であるため詳しい説明は省略する。
【００４０】
基礎ムーブメント３０と暦機構とは、基礎ムーブメント３０の機枠（図示せず）と暦機構の第１機枠３４によって連結されている。第１機枠３４の中央部には、上述した筒車３３の筒部を貫通する軸部材３５が固定されている。軸部材３５は、時計中央部における第１機枠３４と第２機枠３６との間の距離を規制するために設けられている。軸部材３５にはその軸部材３５を中心として回転可能となるように暦送り車４０が装着されている。
【００４１】
まず、日付表示機構について図２、図３を参照して説明する。本実施形態１の日付表示機構は、１箇月３１日分の暦表示のうち、１０桁数字を指示する日付用１０桁針６と、１桁数字を指示する日付用１桁針７と、日付用１０桁針６がその軸部で固定される日１０桁針車９０と、日付用１桁針７がその軸部で固定される日１桁針車８０と、日１桁送りカム５１および日１０桁送りカム４１ならびにこれらカム５１，４１に回転を伝達するカム送り歯車１０５とを有する暦送り車４０と、日１桁送りカム５１の回転に連動して日１桁針車８０を回動する日１桁送り部材としての日１桁送りレバー６０と、日１０桁送りカム４１の回転に連動して日１０桁針車９０を回動する日１０桁送り部材としての日１０桁送りレバー７０と、を有して構成されている。
【００４２】
暦送り車４０は、日１桁送りカム５１と、日１０桁送りカム４１と、カム送り歯車１０５と、から構成されている。日１０桁送りカム４１は、日１０桁送りカム４１の図３において下方に突出するように設けられた位置決め軸４２を日１桁送りカム５１に設けられる穴（凹部または貫通孔）に挿着することにより、日１桁送りカム５１と一体で回転する。
【００４３】
また、日１桁送りカム５１は、第１機枠３４の図３において上方に突出するように設けられた軸部３４ａに支持されたカム送り歯車１０５の上面に置かれている。また、日１桁送りカム５１の図３において下方に突出するように設けられた位置決め軸５２をカム送り歯車１０５に設けられた貫通孔に挿入することにより、日１桁送りカム５１は、カム送り歯車１０５と一体で回転する。
【００４４】
よって、日１０桁送りカム４１と日１桁送りカム５１とカム送り歯車１０５とは、一体で回転し、基礎ムーブメント３０から伝達される回転力によって３１日で１回転するよう構成されている。
【００４５】
日１桁送りカム５１のカム外周面には、日１桁送り部材としての日１桁送りレバー６０に突出するようにして設けられたカム当接部６３が押圧している。日１桁送りレバー６０は、図２に示すように、日１桁針車８０と噛み合う歯車部６１と、日１桁送りカム５１に当接するカム当接部６３と、カム当接部６３を日１桁送りカム５１のカム外周面に押圧するばね部６２と、を有している。
【００４６】
日１桁送りレバー６０は、第１機枠３４に固定設置された固定軸６４を回転中心として時計回りおよび反時計回りに回動可能であって、ばね部６２によって常に日１桁送りカム５１に向かって押圧されている。そして、日１桁送りレバー６０は、日１桁送りカム５１のカム外周面の凹凸に倣って揺動され、歯車部６１によって日１桁針車８０（日付用１桁針７）を時計回りまたは反時計回りに回動させる。歯車部６１と日１桁針車８０のモジュールおよび歯形形状は、同じである。なお、日１桁送りカム５１、日１桁送りレバー６０、および日１桁針車８０の作用については、後述する図８において説明する。
【００４７】
日１０桁送りレバー７０は、第１機枠３４に固定設置された固定軸７４を回転中心として時計回りおよび反時計回りに回動可能であって、ばね部７２によって常に日１０桁送りカム４１に向かって押圧されている。そして、日１０桁送りレバー７０は、日１０桁送りカム４１のカム外周面の凹凸に倣って揺動され、歯車部７１によって日１０桁針車９０（日付用１０桁針６）を時計回りまたは反時計回りに回動させる。歯車部７１と日１０桁針車９０のモジュールおよび歯形形状は、同じである。なお、日１０桁送りカム４１、日１０桁送りレバー７０、および日１桁針車８０の作用については、後述する図９において説明する。
【００４８】
次に、月表示機構について図２、図４を参照して説明する。月表示機構は、前述した暦送り車４０に軸止された月送り爪車１００と、月送り爪車１００によって回転される月カム車１１０と、月送りレバー１２０と、月表示針車１３０と、を有している。月送り爪車１００は、暦送り車４０と一体で回転し３１日で１回転する。そして、月送り爪車１００の外周部に設けられる爪部が月カム車１１０の月歯車部１１２に係合することによって月カム車１１０を１２箇月で１回転させる。
【００４９】
月カム車１１０は、回転可能な支持軸１１４と、支持軸１１４にその軸部が固定される月カム１１１と、月歯車部１１２と、閏年表示送りカム１１３と、を有している（図４参照）。月カム１１１は、図２に示すように外周が螺旋状に形成されたカムであって、この外周側の面に月送りレバー１２０が常に押圧されている。
【００５０】
月送りレバー１２０は、月表示針車１３０に噛み合う歯車部１２１と、月カム１１１に当接するカム当接部１２３と、カム当接部１２３を月カム１１１の外周側面に押圧するばね部１２２と、を有している。そして、月送りレバー１２０は、固定軸１２４を回転中心として時計回り、または反時計回りに回動可能である。月表示針車１３０と月送りレバー１２０の歯車部１２１のモジュールおよび歯形は、同じである。
【００５１】
月カム車１１０は、月送り爪車１００によって、図２において時計回りに回転される。よって、月送りレバー１２０は、月カム１１１の外周側の面の螺旋形状に倣って、図２において反時計回りに回動する。月歯車部１１２は１２枚の歯形を有しており、月送り爪車１００が３１日で１回転する際、月歯車部１１２の１歯分だけ回転させる。つまり、１箇月分送る。
【００５２】
図２に示した状態は、月表示針５が１月（ＪＡＮ）を指示している状態であって、月カム１１１の回転に従い順次月送りをしていく。すなわち、月送りレバー１２０のカム当接部１２３は、月カム１１１の外周側面に押され、固定軸１２４を中心にして反時計方向に回転していく。このため、月送りレバー１２０の歯車部１２１も、図２において、反時計方向に回転していく。なお、月歯車部１１２には、月送りジャンパー（図示せず）が係合しており、月歯車部１１２を１箇月毎に節度感（クリック感）をもって送る。
【００５３】
そして、月表示針５が最終表示位置の１２月（ＤＥＣ）を指示した後、月カム１１１の突端部１１１ａが月送りレバー１２０のカム当接部１２３を超えた瞬間に、突端部１１１ａとカム当接部１２３との係合が解除され、当接部１２３は、突端部１１１ａから落ち、元の状態（図２の状態）に戻る。すなわち、月送りレバー１２０は時計回りに回動し、図２に示した初期表示位置に復帰する。この復帰の際、月表示車１３０は反時計回りに回転して、月表示針５は１月を指示する位置に復帰する。
【００５４】
なお、１箇月は、３１日の月と、３０日の月とが存在し、４年に一度１箇月が２９日の閏年が存在する。本実施形態１では、１箇月が３１日の月を基準にしているため、１箇月が２９日の場合、３０日の場合には月修正部材２２を操作して適正な月表示を行うことができる。
【００５５】
次に、閏年表示機構について、図２、図５を参照して説明する。閏年表示機構は、月カム車１１０に形成された閏年表示車送りカム１１３と、閏年送り車１４０とから構成されている。
【００５６】
閏年送り車１４０は、回転可能な支持軸１４３にその軸部が固定された閏年送り歯車１４２と、閏年表示板１４１とを有し、第１機枠３４と第２機枠３６との間に軸支されている。閏年表示板１４１の表面には、閏年（Ｌ：ＬＥＡＰ  ＹＥＡＲ表示）と、閏年以外の平年を示す記号（たとえば、Ｃ：ＣＯＭＭＯＮ  ＹＥＡＲ）が表示され、第２機枠３６および文字板３７を貫通する窓部から視認可能となっている。
【００５７】
月カム車１１０は１２箇月（つまり、１年）で１回転するから、閏年表示車送りカム１１３も１２箇月で１回転する。そして、閏年表示車送りカム１１３が、閏年送り車１４０を、図２において反時計回りに、１２箇月で１／４回転させる。つまり、４年に一度だけ「Ｌ」が表示される。
【００５８】
閏年か否かの選択は、月表示修正部材２２を操作して、月カム車１１０、閏年送り車１４０を回転して行い、閏年から何年目の年かをカウントしながら合せる。一度あわせた後は、時計が駆動し続ける限り選択操作を行う必要はない。なお、閏年送り歯車１４２には閏年送りジャンパが係合しており、閏年送り歯車１４２を一年毎に節度感をもって送る。
【００５９】
次に、月齢表示機構について、図２、図６を参照して説明する。月齢表示機構は、曜−月齢送り車１５０と、月齢送り車１６０と、月齢表示車１７０とから構成されている。
【００６０】
図６に示すように、曜−月齢送り車１５０は、回転支持軸１５２と、回転支持軸１５２に固定される月齢車送り爪車１５３および曜−月齢送り歯車１５４と、を有して構成されている。曜−月齢送り車１５０は、第１機枠３４に固定設置された支持軸１５１にその軸部が支持され、第２機枠３６によって、断面厚さ方向の移動が規制されている。曜−月齢送り歯車１５４は、中間歯車１４６に噛み合い、中間歯車１４６は筒車３３に固定されている暦送り歯車３８に噛み合っている。
【００６１】
月齢送り車１６０は、回転可能な支持軸１６１と、支持軸１６１にその軸部が固定された月齢送り歯車１６２とを有して構成され、第１機枠３４と第２機枠３６との間で回転可能に支持されている。
【００６２】
月齢表示車１７０は、回転可能な支持軸１７３と、支持軸１７３にその軸部が固定される月齢歯車１７２と、月齢歯車１７２の文字板３７側の表面に貼着される月齢表示板１７１とを有して構成され、裏押さえ板１８０と第２機枠３６との間で回転可能に支持されている。月齢表示板１７１には、周知の月マーク（図１参照）が描かれている。
【００６３】
月齢表示車１７０は、暦送り歯車３８の回転が中間歯車１４６、曜−月齢送り車１５０と月齢送り車１６０を介して伝達されることで回転される。月齢送り車１６０は、曜−月齢送り車１５０と一体で回転する月齢車送り爪車１５３によって回転される。ここで、月齢表示車１７０を２９．５日で１回転するようにした場合、暦送り歯車３８（１２時間で１回転する）から月齢表示車１７０の間は、２／２９．５の減速比となるように設計される。
【００６４】
なお、月齢表示の修正は、月齢修正部材２１（図１参照）を操作して行うが、月齢修正機構の構成および作用は、周知のものを採用可能なため説明を省略する。
【００６５】
次に、曜日表示機構について、図２、図７を参照して説明する。曜日表示機構は、前述した曜−月齢送り車１５０と、曜−月齢送り車１５０によって回転される曜星車１９０と、曜表示針車２１０と、曜星車１９０と曜表示針車２１０の間にあって、曜星車１９０の回転を曜表示針車２１０に伝達する曜送りレバー２００とを有している。
【００６６】
曜星車１９０は、曜送りカム１９１と曜送り歯車１９３とを有し、それらが一体に形成されており、第１機枠３４に固定設置された支持軸１９２に軸支されている。前述した曜−月齢送り車１５０の回転が曜送り歯車１９３に伝達され、曜送りカム１９１が図２において反時計周りに回転される。
【００６７】
曜送りカム１９１の外周は螺旋形状をしており、７日で１回転する。図２に示す状態は曜送りの初期状態であって、本実施形態１では曜表示針８は月曜日（ＭＯＮ）を表示する。
【００６８】
曜送りレバー２００は図２に示すように、曜表示針車２１０に歯合する歯車部２０１と、曜送りカム１９１に当接するカム当接部２０３と、カム当接部２０３を曜送りカム１９１の外周側の面に押圧するばね部２０２と、を有し、回転軸２０４を回転中心として反時計回りおよび時計回りに揺動可能である。曜表示針車２１０の歯車部２１１と、曜送りレバー２００の歯車部２０１のモジュールおよび歯形は、同じである。
【００６９】
曜表示針車２１０は、軸部２１２と歯車部２１１とが一体に形成され、第１機枠３４と第２機枠３６とによって回転可能に支持されている。軸部２１２の先端部には曜表示針８が取り付けられる。
【００７０】
曜送りカム１９１が図２において反時計回りに回転すると、曜送りレバー２００は回転軸２０４を回転中心として曜送りカム１９１の外周側の面に倣って反時計周りに回動され、歯車部２０１が曜表示針車２１０を図２において時計回りに回転させる。こうして月曜日から日曜日（ＳＵＮ）まで１日に１歯分だけ（つまり、１日分だけ）、曜表示針車２１０（曜表示針８）を送っていく。ここで、曜表示針８が日曜日を表示した瞬間（曜送りカム１９１の突端部１９１ａと曜送りレバー２００のカム当接部２０３とが係合した状態）から２４時間経過後に、曜送りカム１９１の突端部１９１ａと曜送りレバー２００のカム当接部２０３との係合が解除される。すると、ばね部２０２の弾性力によって曜送りレバー２００は図２において時計周りに回動され瞬間的に初期状態の月曜日の位置に復帰する。
【００７１】
また、曜送り歯車１９３に係合する曜ジャンパー２０５が設けられており、曜星車１９０の回転を節度感（いわゆるクリック感）がある回転としている。
【００７２】
なお、本実施形態１では初期表示位置を月曜日とし、１週間を月曜日から日曜日としているが、１週間を日曜日から月曜日と表示したり、土曜日から金曜日としたりしてもよい。
【００７３】
また、曜日を修正する場合は、竜頭２０（図１参照）を１段引き出し回転することによって行うが、この曜修正機構は周知の構造を採用することができるため説明を省略する。
【００７４】
続いて、本実施形態１における日１桁針車８０（日付用１桁針７）の駆動について図面を参照して説明する。図８は、本実施形態１に係る日１桁針車８０の駆動を示す駆動説明図である。曜−月齢送り車１５０にその軸部が固定された暦送り爪３９がカム送り歯車１０５と係合して、暦送り車４０を図２、図８において反時計回りに回転する。暦送り車４０と連動して日１桁送りカム５１が反時計回りに回転する。なお、基礎ムーブメント３０の動きは、筒車３３に固定された暦送り歯車３８、中間歯車１４６、曜−月齢送り車１５０の順に伝達され、曜−月齢送り車１５０に固定された暦送り爪３９によって暦送り車４０が駆動される。
【００７５】
日１桁送りカム５１には、外周側の面にカム面が形成されており、第１突起部５３と、第２突起部５４と、第３突起部５５とが外側に突出するように設置されている。図８に示した状態は、初期表示位置であって、日付用１桁針７が日付１桁表示目盛１２の「１」を指示する位置に相当する（図１参照）。この際、日１桁送りレバー６０のカム当接部６３は、カム回転中心Ｐ１からの距離が最も近いカム面に当接している。
【００７６】
日１桁送りカム５１が反時計回り（図示ｒ１方向）に回転すると、日１桁送りレバー６０は固定軸６４を回転中心として時計回り（図示ｒ２方向）に、日１桁送りカム５１の第１突起部５３に達するまで回動される。すると、日１桁送りレバー６０の歯車部６１に噛み合う日１桁針車８０は反時計回り（図示ｒ３方向）に回転される。第１突起部５３がカム当接部６３の位置まで達したときが、日付用１桁針７が日付１桁表示目盛１２の最終表示位置としての０を指示する。
【００７７】
さらに、日１桁送りカム５１が２４時間分回転すると、カム当接部６３と第１突起部５３との係合が解除される。すると、日１桁送りレバー６０は、自身のばね部６２の弾性力によって図８において反時計回りに瞬間的に回動され、日１桁針車８０は時計回りに回転されて日付用１桁針７は日付１桁表示目盛１２の「１」を指示する（図１参照）。
【００７８】
日１桁送りカム５１がさらに回転すると、カム当接部６３は第１突起部５３を乗り越えた後に、上述したようにカム当接部６３が第２突起部５４に達するまで日１桁針車８０は反時計回りに回転され、日付用１桁針７が日付１桁表示目盛１２の「１」から「０」まで順次指示していく。
【００７９】
さらに、日１桁送りカム５１が２４時間分回転すると、カム当接部６３と第２突起部５４との係合が解除される。すると、日１桁送りレバー６０は、自身のばね部６２の弾性力によって反時計回りに瞬間的に回動され、日１桁針車８０は時計回りに回転されて日付用１桁針７は日付１桁表示目盛１２の「１」を指示する（図１参照）。
【００８０】
日１桁送りカムがさらに回転すると、カム当接部６３は、第２突起部５４を乗り越えた後に、上述したようにカム当接部６３が第３突起部５５に達するまで日１桁針車８０は反時計回りに回転され、日付用１桁針７が日付１桁表示目盛１２の「１」から「０」まで順次指示していく。
【００８１】
さらに、日１桁送りカム５１が２４時間分回転すると、カム当接部６３と第３突起部５５との係合が解除される。すると、日１桁送りレバー６０は、自身のばね部６２の弾性力によって反時計回りに瞬間的に回動され、日１桁針車８０は、時計回りに回転されて日付用１桁針７は日付１桁表示目盛１２の「１」を指示する（図１参照）。
【００８２】
第３突起部５５とカム当接部６３とが解除された後の４８時間は、日１桁カム５１は、日１桁送りレバー６０の位置を持続する。これは、後述する日付用１０桁針６と日付用１桁針７とで、３１日と０１日を指示させるために、日付１桁の表示において、日付１桁表示目盛１２の「１」を２回指示する必要があるためである。
【００８３】
なお、日１桁送りカム５１は、暦送り爪３９によって、２４時間毎にカム送り歯車１０５の１歯分だけ回転される。カム送り歯車１０５の歯数は３１枚のため、日１桁送りカム５１は２４時間（１日）に「３６０÷３１」度だけ回転される。つまり、１日分ずつ回転されることになる。
【００８４】
また、カム送り歯車１０５には暦送りジャンパー１０６が弾性係合されており、カム送り歯車１０５を１歯分ずつの節度感（いわゆるクリック感）をもって位置規制している。このことによって、日付用１桁針７は、日付１桁表示目盛１２の各数字のほぼ中央を指示することができる。
【００８５】
続いて、本実施形態１における日１０桁針車９０（日付用１０桁針６）の駆動について図面を参照して説明する。図９は、本実施形態１に係る日１０桁針車９０の駆動を示す駆動説明図である。日１０桁送りカム４１は、暦送り車４０と連動して、図２、図９において反時計回りに回転する（図９の矢示ｒ１方向）。
【００８６】
日１０桁送りカム４１には、外周にカム面が形成されており、第１突起部４３と、第２突起部４４と、第３突起部４５とが外側に突出するように設置されている。図示した状態は、初期表示位置であって、日付用１０桁針６が日付１０桁表示目盛１１の「０」を指示する位置に相当する。この際、日１０桁送りレバー７０のカム当接部７３は、カム回転中心Ｐ１からの距離が最も近いカム面に当接している。
【００８７】
日１０桁送りカム４１が図２、図９において反時計回り（図示ｒ１方向）に回転すると、日１０桁送りレバー７０は、固定軸７４を回転中心として反時計回り（図示ｒ３方向）に、日１０桁送りカム４１の第１突起部４３に達するまで回動される。すると、日１０桁送りレバー７０の歯車部７１に噛み合う日１０桁針車９０は、時計回り（図示ｒ４方向）に回転される。第１突起部４３がカム当接部７３の位置まで達したとき、日付用１０桁針６が日付１０桁表示目盛１１の「１」（つまり、１０日）を指示する。なお、カム当接部７３が第１突起部４３に乗り上げる直前までは、日１０桁送りレバー７０は作動しない。その間は、カム回転中心Ｐ１からカム当接部７３までの距離が一定であるためである。
【００８８】
日１０桁送りカム４１がさらに回転し、カム当接部７３が第２突起部４４に乗り上げる直前までは、日１０桁送りレバー７０は作動しない。その間は、カム回転中心Ｐ１からカム当接部７３までの距離が一定であるためである。そして、カム当接部７３が第２突起部４４に乗り上げたとき、日付用１０桁針６は日付１０桁表示目盛１１の「２」（つまり、２０日）を指示する。
【００８９】
日１０桁送りカム４１がさらに回転し、カム当接部７３が第３突起部４５に乗り上げる直前までは、日１０桁送りレバー７０は作動しない。その間は、カム回転中心Ｐ１からカム当接部７３までの距離が一定であるためである。そして、カム当接部７３が第３突起部４５に乗り上げたときに、日付用１０桁針６は日付１０桁表示目盛１１の「３」（つまり、３０日）を指示する。
【００９０】
さらに、日１０桁送りカム４１が２４時間分回転すると、カム当接部７３と第３突起部４５との係合が解除される。すると、日１０桁送りレバー７０は、自身のばね部７２の弾性力によって図９において時計回りに瞬間的に回動され、日１０桁針車９０は反時計回りに回転されて日付用１０桁針６は日付１０桁表示目盛１１の「０」（つまり、日付が１桁の状態）を指示する。
【００９１】
なお、カム送り歯車１０５には暦送りジャンパー１０６が弾性係合されており、カム送り歯車１０５を１歯分ずつの節度感（いわゆるクリック感）をもって位置規制している。このことによって、日付用１０桁針６は、日１０桁表示目盛１１の各数字のほぼ中央を指示することができる。
【００９２】
前述した日１０桁表示機構と日１桁表示機構とは、日１桁送りカム５１による日１桁送りレバー６０の作動に伴う日付用１桁針７の１日単位の日送りのタイミングと、日１０桁送りカム４１による日１０桁送りレバー７０の作動に伴う日付用１０桁針６の１０日単位の日送りのタイミングを合せる必要がある。そのタイミングは、日１桁送りカム５１と日１０桁送りカム４１との位相を正確に合せることで適正にとることが可能になる。
【００９３】
図１０は、日１桁送りカム５１と日１０桁送りカム４１との位相を示す平面説明図である。図１０では、暦送り車４０の主要部分のみを表し、暦送り車４０の回転角に対応して日１０桁送りカム４１と日１桁送りカム５１との相関関係を表している。
【００９４】
なお、日１０桁送りレバー７０のカム当接部７３と、日１桁送りレバー６０のカム当接部６３とが、それぞれ円弧の回転軌跡Ｋ７０，Ｋ６０を有して逆方向に回動し、日１０桁送りカム４１、日１桁送りカム５１の外周側の面に当接するが、説明を分かりやすくするため簡略している。暦送り車４０は、反時計回り（図示、ｒ１方向）に回転する。なお、日１桁送りカム５１の回転角をＤの符号付きで表し、日１０桁送りカム４１の回転角をｄの符号付きで表し説明する。
【００９５】
図１０に図示した状態では、初期表示状態の日付は「０１」日を表している。つまり、日１桁送りカム５１と回転軌跡Ｋ６０との交差位置は、日１桁送りカム５１の回転角Ｄ２の範囲にある。すなわち、図８に示す状態付近となっている。また、日１０桁送りカム４１と回転軌跡Ｋ７０との交差位置は、日１０桁送りカム４１の回転角ｄ３の範囲にある。すなわち、図９に示す状態の位置と、第１突起部４３の位置との間となっている。
【００９６】
日１桁カム５１の回転角Ｄ１，Ｄ２の範囲では、日付用１桁針７は、日付１桁表示目盛１２の「１」を指示し、日１桁送りカム４１の回転角ｄ３の範囲では、日付用１０桁針６は、日付１０桁表示目盛１１の「０」を指示する。つまり、日付の１日を表す。
【００９７】
この状態から暦送り車４０が反時計回り（図示ｒ１方向）に回転すると、回転軌跡Ｋ６０と日１桁カム５１の交差位置が第１突起部５３に近づくように移動する。回転角Ｄ３の範囲では、日付用１桁針７は、日付１桁表示目盛１２の２日から９日までを２４時間に１目盛ずつ指示していく。
【００９８】
日１０桁送りカム４１も同様に回転するが、回転角ｄ３の範囲は日１０桁送りレバー７０は回動しないので、日付１０桁表示目盛１１に対する日付用１０桁針６の指示は「０」のままである。
【００９９】
したがって、日１桁送りカム５１の回転角Ｄ３と、日１０桁送りカム４１の回転角ｄ３の範囲では、日付の１日から９日を表す。
【０１００】
さらに、暦送り車４０が回転し、日１桁送りカム５１と回転軌跡Ｋ６０との交差位置が回転角Ｄ４に達したとき、日付用１桁針７は、日付１桁表示目盛１２の「０」を指示し、日１０桁送りカム４１と回転軌跡Ｋ７０との交差位置が第１突起部４３に達したときに、日付用１０桁針６は、日付１０桁表示目盛１１の「１」を指示する。したがって、このときの日付は、１０日を表す。
【０１０１】
さらに、暦送り車４０を回転すると、回転軌跡Ｋ６０と日１桁カム５１の交差位置が第２突起部５４に近づくように移動する。回転角Ｄ５の範囲では、日付用１桁針７は、日付１桁表示目盛１２の１日から９日までを２４時間に１目盛ずつ指示していく。
【０１０２】
日１０桁送りカム４１も同様に回転するが、回転角ｄ４の範囲は日１０桁送りレバー７０は回動しないので、日付１０桁表示目盛１１に対する日付用１０桁針６の指示は「１」のままである。
【０１０３】
したがって、日１桁送りカム５１の回転角Ｄ５と、日１０桁送りカム４１の回転角ｄ４の範囲では、日付の１１日から１９日を表す。
【０１０４】
そして、さらに暦送り車４０が回転し、日１桁送りカム５１と回転軌跡Ｋ６０との交差位置が回転角Ｄ６に達したとき、日付用１桁針７は、日付１桁表示目盛１２の「０」を指示し、日１０桁送りカム４１と回転軌跡Ｋ７０との交差位置が第２突起部４４に達するまでは、日付用１０桁針６は、日付１０桁表示目盛１１の「１」を指示し、第２突起部４４に達したとき日付１０桁表示目盛１１の「２」を指示する。したがって、このときの日付は、２０日を表す。
【０１０５】
さらに、暦送り車４０が回転すると、回転軌跡Ｋ６０と日１桁カム５１の交差位置が第３突起部５５に近づくように移動する。回転角Ｄ７の範囲では、日付用１桁針７は、日付１桁表示目盛１２の１日から９日までを２４時間に１目盛ずつ指示していく。
【０１０６】
日１０桁送りカム４１も同様に回転するが、回転角ｄ５の範囲は日１０桁送りレバー７０は回動しないので、日付１０桁表示目盛１１の指示は「２」のままである。したがって、日１桁送りカム５１の回転角Ｄ７と、日１０桁送りカム４１の回転角ｄ５の範囲では、日付の２１日から２９日を表す。
【０１０７】
そして、さらに暦送り車４０が回転し、日１桁送りカム５１と回転軌跡Ｋ６０との交差位置が回転角Ｄ８に達したとき、日付用１桁針７は、日付１桁表示目盛１２の「０」を指示し、日１０桁送りカム４１と回転軌跡Ｋ７０との交差位置が回転角ｄ５にある範囲では、日付用１０桁針６は、日付１０桁表示目盛１１の「２」を指示し、回転角ｄ１に達したとき日１０桁表示目盛の「３」を指示する。したがって、このときの日付は、３０日を表す。
【０１０８】
さらに暦送り車４０が回転し、日１桁送りカム５１の第３突起部５５が回転軌跡Ｋ６０を乗り越えたときに、日付用１桁針７は、日付１桁表示目盛１２の「１」を指示し、日１０桁送りカム４１と回転軌跡Ｋ７０との交差位置が回転軌跡ｄ２の範囲にあるとき、日付用１０桁針６は、日付１０桁表示目盛１１の「３」を指示している。したがって、このときの日付は、３１日を表す。
【０１０９】
そして、日１０桁送りカム４１の第３突起部４５が回転軌跡Ｋ７０を乗り越えたときに、回転軌跡Ｋ７０は日１０桁送りカム４１の回転角ｄ３の範囲にあるため、日付用１０桁針６は、日付１０桁表示目盛１１の「０」を指示する。したがって、このときの日付は、１日を表す。
【０１１０】
このように、日１桁送りカム５１と日１０桁送りカム４１との位相を合わせておくことで、日付用１桁針７および日付用１０桁針６を別表示する構成であっても、日付の１日から３１日までを表すことができる。
【０１１１】
したがって、前述した実施形態１によれば、１箇月の日付表示のうち、１０桁数字の指示と、１桁数字の指示とをそれぞれ日付用１０桁針６および日付用１桁針７で独立して表示するため、ウオッチのような文字板の表示面積が小さい場合であっても、１０桁数字と、１桁数字とを明確に指示することができる。
【０１１２】
また、日付用１０桁針６が、日１０桁送りレバー７０により日付１０桁表示目盛１１の「０」を表示する位置から「３」を表示する位置まで時計回り方向に回動された後、４８時間経過後に、日１０桁送りレバー７０と日１０桁送りカム４１の第３突起部４５との係合が解除され、ばね部７２の弾性力で反時計回り方向に回動され「０」を表示する位置に復帰する。
【０１１３】
日付用１０桁針６が日付１０桁表示目盛１１の「０」を指示する期間は、日付の１日から９日であって、「１」を指示する期間は日付の１０日から１９日の期間で、「２」を示す期間は日付の２０日から２９日の期間で、「３」を指示する期間は日付の３０日から３１日の期間である。
【０１１４】
このようにすることで、日付用１０桁針６は、日付１０桁表示目盛１１の「０」から「３」までを１０日毎に回動して指示し、日付の３１日から１日に移行するときに、日１０桁送りレバー７０と日１０桁送りカム４１の第３突起部４５との係合が解除され、瞬間的に日付１０桁表示目盛１１の「０」を指示することができる。
【０１１５】
また、日付用１桁針７を、日１桁送りレバー６０により日付１桁表示目盛１２の「１」の表示位置から「０」の表示位置まで反時計回り方向に回動した後、２４時間経過後に、日１桁送りレバー６０と日１桁送りカム５１の第１突起部５３、または第２突起部５４、または第３突起部５５との係合を解除し、時計回り方向に瞬間的に回動して日付１桁表示目盛１２の「１」の表示位置に復帰させる。
【０１１６】
このようにすれば、たとえば、日付が１１日０時に達したとき、２１日０時に達したとき、３１の０時に達したとき、日付用１桁針７は、１日を表示する状態に素早く復帰する。したがって、日付用１桁針７は、１箇月である３１日のうちの１桁数字の「１」から「９」と「０」の表示を繰り返し指示することができる。また、日付用１桁針７は、略扇形に往復回動する、いわゆるレトログラード表示を可能にする。
【０１１７】
また、日付用１０桁針６を、日１０桁送りレバー７０によって日付１０桁表示目盛１１の「０」の表示位置から「３」の表示位置まで時計回り方向に回動した後、２４時間経過後に、日１０桁送りレバー７０と日１０桁送りカム４１の第３突起部４５との係合を解除し、反時計回り方向に瞬間的に回動して日付１０桁表示目盛１１の「０」の表示位置に復帰させる。
【０１１８】
このようにすれば、たとえば、日付が１日０時に達したときに、日付用１０桁針６は０日の表示に素早く復帰する。したがって、日付用１０桁針６は、１箇月３１日のうちの１０桁数字の「０」から「３」の表示を繰り返し指示することができる。また、日付用１０桁針６は、略扇形に往復回動する、いわゆるレトログラード表示を可能にする。
【０１１９】
また、日付用１０桁針６が固定される日１０桁針車９０と、日付用１桁針７が固定される日１桁針車８０とは、それぞれの回転軸が重なるように、すなわち、日１桁針車８０の中心軸部８１が日１０桁針車９０の軸部を貫通するように、配設されているとともに、それぞれが独立して回動可能に支持されている。
【０１２０】
このような構成にすれば、ウオッチのような小さいスペースの中に、日１０桁針車９０と日１桁針車８０とを配設することができる。また、日付用１０桁針６と日付用１桁針７とを、通常の時針および分針のようなデザインによって実現できるという効果がある。
【０１２１】
さらに、図１に示すように、日付用１０桁針６と日付用１桁針７のそれぞれの日付を指示する先端部が互いに交差させないよう配設することにより、日付の１０桁数字と１桁数字とを区別して視認しやすくなる。この結果、日付を読み違えることを排除することができる。また、図１に示すように、日付用１０桁針６と日付用１桁針７の各先端を二股状にして指し示す数字を挟み込むようにすることで、一層、日付の読み違えを防止することができる。
【０１２２】
（実施形態２）
続いて、本発明の実施形態２に係る暦時計１Ａについて、図面を参照して説明する。実施形態２は、前述した実施形態１の日１桁針車８０と日１０桁針車９０とが、同一の回転軸に重ねて配設されていることに対して、日１０桁針車と日１桁針車の回転中心が平面方向に離間して配設されるとともに、それぞれが独立して回動可能に支持されていることを特徴としている。したがって、実施形態１との相違箇所を中心に説明する。なお、この実施形態２に係る暦時計１Ａの説明にあたっては、実施形態１と共通部分には同じ符号を附し、その説明を省略または簡略化する。
【０１２３】
図１１は、実施形態２に係る暦時計１Ａを示す外観平面図である。図１１において、時計の１２時方向には日付を表示するための日付用１０桁針６および日付用１桁針７が配設されて、それぞれに対応する日付１０桁表示目盛１１と、日付１桁表示目盛１２とが、設けられている。そして、独立して駆動される日付用１０桁針６によって１０桁の日付が、日付用１０桁針６とは独立して駆動される日付用１桁針７によって１桁の日付がそれぞれ指示される。図では、日付用１０桁針６が「１」を指示し、日付用１桁針７が「６」を指示しており、両者によって日付の１６日を表している。なお、月表示、閏年表示、曜日表示、月齢表示は、実施形態１と同様な構成にて配設されている。
【０１２４】
続いて、本実施形態２の日付表示機構の構成について図面を参照して説明する。図１２は、本実施形態２に係る日付表示機構を示す部分平面図であり、図１３は日付表示機構を示す部分断面図である。
【０１２５】
図１２、図１３において、本実施形態２の日付表示機構は、１箇月である３１日分の暦表示のうち、１０桁数字を指示する日付用１０桁針６と、１桁数字を指示する日付用１桁針７と、日付用１０桁針６がその軸部同士で固定される日１０桁針車２３０と、日付用１桁針７がその軸部同士で固定される日１桁針車２２０と、日１桁送りカム５１と日１０桁送りカム４１およびこれらカム５１，４１に回転を伝達するカム送り歯車１０５とを有する暦送り車４０と、日１桁送りカム５１の回転に連動して日１桁針車２２０を回動する日１桁送り部材としての日１桁送りレバー６０と、日１０桁送りカム４１の回転に連動して日１０桁針車２３０を回動する日１０桁送り部材としての日１０桁送りレバー７０と、を有して構成されている。
【０１２６】
暦時計１Ａの中央部には暦送り車４０が、第１機枠３４に設けられる軸部３４ａに支持されている。暦送り車４０には、日１０桁カム４１と、日１桁カム５１と、カム送り歯車１０５と、が互いに軸部が重なるように構成されている。暦送り車４０の構成は、実施形態１と同じである。
【０１２７】
日１桁針車２２０と、日１０桁針車２３０とは、平面方向に離間して配設されている（図１２参照）。日１桁針車２２０は、図１３に示すように、第１機枠３４と第２機枠３６とによってその軸部の両端が支持され、一方の軸部先端には日付用１桁針７が互いの軸部が嵌り合う形で固定されている。日１桁針車２２０の歯形および歯形外径は、前述した実施形態１の日１桁針車８０と同じものとなっている。
【０１２８】
なお、日１桁針車２２０は、前述した実施形態１の日１桁針車８０の中心と日１桁送りレバー６０の固定軸６４との中心距離の同心円上（図１２参照）に配設されている。すなわち、日１桁針車２２０の固定軸６４からの距離と、日１桁針車８０の固定軸６４からの距離とは、同一とされている。
【０１２９】
日１０桁針車２３０は、図１３に示すように、第１機枠３４と第２機枠３６とによってその軸部の両端が支持され、一方の軸部先端には日付用１０桁針６が互いの軸部が嵌り合う形で固定されている。日１０桁針車２３０の歯形および歯形外径は、前述した実施形態１の日１０桁針車９０と同じものとなっている。
【０１３０】
なお、日１０桁針車２３０は、前述した実施形態１の日１０桁針車９０の中心と日１桁送りレバー７０の固定軸７４との中心距離の同心円の上（図１２参照）に配設されている。すなわち、日１０桁針車２３０の固定軸７４からの距離と、日１０桁針車９０の固定軸７４からの距離とは、同一とされている。
【０１３１】
日１桁送りレバー６０と、日１０桁送りレバー７０とは、前述した実施形態１のそれぞれと共通使用が可能である。この際、日１桁送りレバー６０の歯車部６１は、日１桁針車８０と、日１桁針車２２０の両方に噛み合い可能な範囲に形成され、日１０桁送りレバー７０の歯車部７１も、日１０桁針車９０と、日１０桁針車２３０の両方に噛み合い可能な範囲に形成されている。
【０１３２】
続いて、本実施形態２の日１桁針車２２０（日付用１桁針７）の駆動について図面を参照して説明する。図１４は、本実施形態２に係る日１桁針車２２０の駆動を示す駆動説明図である。曜−月齢送り車１５０に支持された暦送り爪３９がカム送り歯車１０５と係合して、暦送り車４０を図１４において反時計回りに回転する。暦送り車４０と連動して日１桁送りカム５１が反時計回りに回転する。
【０１３３】
日１桁送りカム５１には、外周側の面にカム面が形成されており、第１突起部５３と、第２突起部５４と、第３突起部５５とが外側に突出するように設置されている。図示した状態は、初期表示位置であって、日付用１桁針７が日付１桁表示目盛１２の「１」を指示する位置に相当する。この際、日１桁送りレバー６０のカム当接部６３は、カム回転中心Ｐ１からの距離が最も近いカム面に当接している。
【０１３４】
日１桁送りカム５１が反時計回り（図示ｒ１方向）に回転すると、日１桁送りレバー６０は固定軸６４を回転中心として時計回り（図示ｒ２方向）に、日１桁送りカム５１の第１突起部５３に達するまで回動される。すると、日１桁送りレバー６０の歯車部６１に噛み合う日１桁針車２２０は反時計回り（図示ｒ３方向）に回転される。第１突起部５３がカム当接部６３の位置まで達したときに、日付用１桁針７が日付１桁表示目盛１２の最終表示位置としての「０」を指示する。
【０１３５】
さらに、日１桁送りカム５１が２４時間分回転すると、カム当接部６３と第１突起部５３との係合が解除される。すると、日１桁送りレバー６０は、自身のばね部６２の弾性力によって反時計回りに瞬間的に回動され、日１桁針車２２０は時計回りに回転され、日付用１桁針７は日付１桁表示目盛１２の「１」を指示する状態に復帰する。
【０１３６】
日１桁送りカム５１がさらに回転すると、カム当接部６３は第１突起部５３を乗り越えた後に、上述したようにカム当接部６３が第２突起部５４に達するまで、日１桁針車２２０は反時計回りに回転され、日付用１桁針７が日付１桁表示目盛１２の「１」から「０」まで順次指示していく。
【０１３７】
さらに、日１桁送りカム５１が２４時間分回転すると、カム当接部６３と第２突起部５４との係合が解除される。すると、日１桁送りレバー６０は、自身のばね部６２の弾性力によって反時計回りに瞬間的に回動され、日１桁針車２２０は時計回りに回転されて日付用１桁針７は「１」を指示する状態に再復帰する。
【０１３８】
日１桁送りカム５１がさらに回転すると、カム当接部６３は第２突起部５４を乗り越えた後に、上述したようにカム当接部６３が第３突起部５５に達するまで、日１桁針車２２０は反時計回りに回転され、日付用１桁針７が日付１桁表示目盛１２の「１」から「０」まで順次指示していく。
【０１３９】
さらに、日１桁送りカム５１が２４時間分回転すると、カム当接部６３と第３突起部５５との係合が解除される。すると、日１桁送りレバー６０は、自身のばね部６２の弾性力によって反時計回りに瞬間的に回動され、日１桁針車２２０は時計回りに回転されて日付用１桁針７は日付１桁表示目盛１２の「１」を指示する。
【０１４０】
第３突起部５５とカム当接部６３とが解除された後の４８時間は、日１桁カム５１は、日１桁送りレバー６０は位置を持続する。これは、後述する日付用１０桁針６と日付用１桁針７とで、３１日と０１日を指示させるために、日付１桁の表示において、日付１桁表示目盛１２の「１」を２回指示する必要があるためである。
【０１４１】
なお、日１桁送りカム５１は、暦送り爪３９によって、２４時間毎にカム送り歯車１０５の１歯分だけ回転される。カム送り歯車１０５の歯数は３１枚のため、日１桁送りカム５１は２４時間（１日）に「３６０÷３１」度だけ回転される。つまり、１日分ずつ回転されることになる。
【０１４２】
また、カム送り歯車１０５には暦送りジャンパー１０６が弾性係合されており、カム送り歯車１０５を１歯分ずつの節度感をもって位置規制している。このことによって、日付用１桁針７は、日付１桁表示目盛１２の各数字のほぼ中央を指示することができる。
【０１４３】
続いて、本実施形態２の日１０桁針車２３０（日付用１０桁針６）の駆動について図面を参照して説明する。図１５は、本実施形態２に係る日１０桁針車２３０の駆動を示す駆動説明図である。日１０桁送りカム４１は、暦送り車４０と連動して反時計回りに回転する。
【０１４４】
日１０桁送りカム４１には、外周側の面にカム面が形成されており、第１突起部４３と、第２突起部４４と、第３突起部４５とが外側に突出するように設置されている。図示した状態は、初期表示位置であって、日付用１０桁針６が日付１０桁表示目盛１１の「０」を指示する位置に相当する。この際、日１０桁送りレバー７０のカム当接部７３は、カム回転中心Ｐ１からの距離が最も近いカム面に当接している。
【０１４５】
日１０桁送りカム４１が反時計回り（図示ｒ１方向）に回転すると、日１０桁送りレバー７０は固定軸７４を回転中心として反時計回り（図示ｒ３方向）に、日１０桁送りカム４１の第１突起部４３に達するまで回動される。すると、日１０桁送りレバー７０の歯車部７１に噛み合う日１０桁針車２３０は時計回り（図示ｒ４方向）に回転される。第１突起部４３がカム当接部７３の位置まで達したときが、日付用１０桁針６が日付１０桁表示目盛１１の「１」（つまり、１０日）を指示する。
【０１４６】
日１０桁送りカム４１がさらに回転し、カム当接部７３が第２突起部４４に乗り上げる直前までは、日１０桁送りレバー７０は作動しないその間は、カム回転中心Ｐ１からカム当接部７３までの距離が一定であるためである。そして、カム当接部７３が第２突起部４４に乗り上げたとき、日付用１０桁針６は日付１０桁表示目盛１１の「２」（つまり、２０日）を指示する。
【０１４７】
日１０桁送りカム４１がさらに回転し、カム当接部７３が第３突起部４５に乗り上げる直前までは、日１０桁送りレバー７０は作動しない。その間は、カム回転中心Ｐ１からカム当接部７３までの距離が一定であるためである。そして、カム当接部７３が第３突起部４５に乗り上げたときに、日付用１０桁針６は日付１０桁表示目盛１１の「３」（つまり、３０日）を指示する。
【０１４８】
さらに、日１０桁送りカム４１が２４時間分回転すると、カム当接部７３と第３突起部４５との係合が解除される。すると、日１０桁送りレバー７０は、自身のばね部７２の弾性力によって時計回りに瞬間的に回動され、日１０桁針車２３０は反時計回りに回転されて日付用１０桁針６は日付１０桁表示目盛１１の「０」（つまり、日付が１桁の状態）を指示する。
【０１４９】
なお、カム送り歯車１０５には暦送りジャンパー１０６が弾性係合されており、カム送り歯車１０５を１歯分ずつの節度感をもって位置規制している。このことによって、日付用１０桁針６は、日付１０桁表示目盛１１の各数字のほぼ中央を指示することができる。
【０１５０】
したがって、本実施形態２によれば、日１０桁針車２３０と日１桁針車２２０とが、それぞれ平面方向に離間して配設されるとともに、それぞれを独立して回動可能に配設されている。このため、実施形態１の効果に加え、日付用１０桁針６と日付用１桁針７とを平面方向に離間して配設することで、従来にない、より斬新なデザインを実現できるという効果がある。
【０１５１】
また、本実施形態２では、日１０桁針車２３０の回転中心と日１０桁送りレバー７０の回転中心との距離を、実施形態１における日１０桁針車９０の回転中心と日１０桁送りレバー７０の回転中心との距離と同一にしている。すなわち、日１０桁送りレバー７０の回転中心を起点として、日１０桁針車９０の回転中心までの距離を半径とする円上に、日１０桁針車２３０の回転中心が来るように、実施形態２では、日１０桁針車２３０を配置している。
【０１５２】
このような構成にすることで、日１０桁針車２３０と日１桁針車２２０とを平面方向に離間して配設する場合と、日１０桁針車９０と日１桁針車８０とを同一回転軸に重ねて配設する場合とで、日１０桁送りレバー７０を共通使用することが可能となり、日１０桁針車２３０の位置を日１０桁針車９０の位置からずらすだけで容易に両方のデザインを実現できる。
【０１５３】
また、本実施形態２では、日１桁針車２２０の回転中心と日１桁送りレバー６０の回転中心との距離を、実施形態１における日１桁針車８０の回転中心と日１桁送りレバー６０の回転中心との距離と同一にしている。すなわち、日１桁送りレバー６０の回転中心を起点として、日１桁針車８０の回転中心までの距離を半径とする円上に、日１桁針車２２０の回転中心が来るよう、に実施形態２では、日１桁針車２２０を配置している。
【０１５４】
このような構成にすることで、日１０桁針車２３０と日１桁針車２２０とを平面方向に離間して配設する場合と、日１０桁針車９０と日１桁針車８０とを同一回転軸に重ねて配設する場合とで、日１桁送りレバー６０を共通使用することが可能となり、日１桁針車２２０の位置を日１桁針車８０の位置からずらすだけで容易に両方のデザインを実現できる。
【０１５５】
さらに、本実施形態２では、日付用１０桁針６と日付用１桁針７それぞれの日付を指示する先端部を互いに交差させないよう配設することが容易となり、日付の１０桁数字と１桁数字とを区別してより視認しやすくすることが可能となり、読み違えることを一層、排除することができる。
【０１５６】
（他の実施の形態について）
以上、本発明の実施の形態に係わる暦時計１，１Ａについて説明したが、本発明の要旨を逸脱しない範囲で種々変更実施できる。たとえば、基礎ムーブメント３０の動きは、筒車３３、暦送り歯車３８、中間歯車１４６、曜−月齢送り車１５０の順に伝達され、曜−月齢送り車１５０に固定された暦送り爪３９によって暦送り車４０が駆動されるようになっているが、一部の歯車を省略したり、逆に他の歯車を追加したりした、他の輪列構成としてもよい。
【０１５７】
また、同心状に配設される日１桁送りカム５１および日１０桁送りカム４１と、日１桁送りカム５１の回転に連動して日１桁針車８０を回動する日１桁送り部材と、日１０桁送りカム４１の回転に連動して日１０桁針車９０を回動する日１０桁送り部材と、を有する構成としたが、各カム４１，５１を一体化した１部材としてもよい。
【０１５８】
また、曜−月齢送り車１５０から日１桁針車８０までの輪列の中に、ばね付勢されたスライダーと欠歯歯車の組み合わせを入れ、日１桁針車８０を往復動させるようにしたり、同様に、曜−月齢送り車１５０から日１０桁針車９０までの輪列の中に、ばね付勢されたスライダーと欠歯歯車の組み合わせを入れ、日１０桁針車９０を往復動させるようにしたりしてもよい。すなわち、曜−月齢送り車１５０から日１桁針車８０までの駆動伝達および曜−月齢送り車１５０から日１０桁針車９０までの駆動伝達は、他の公知の伝達構成を種々利用することができるため、日１桁針車８０と日１０桁針車９０を揺動回転させるのであれば、どのような構成としてもよい。
【０１５９】
また、日付を表示する部分が、暦時計１，１Ａの正面上部に配置されているが、下部（６時の方向）に配置したり、右（３時の方向）に配置したりしてもよい。さらに、日付を表す表示を１，２，３などの数字としたが、各数字の代わりに、各数字に対応した内容を表すこととなる、単なる点のみとしたり、点の数としたり、英語の頭文字（たとえば、「１」はＯＮＥの「Ｏ」、「２」はＴＷＯの「Ｔ」）としたりしてもよい。
【０１６０】
さらに、日１０桁表示目盛１１と、日１桁表示目盛り１２と、は、別部材（別領域）とされているが、両者を一体化し色で区別するようにしたり、日１桁表示目盛り１２のみとし、その中の０〜３を日１０桁表示目盛りに兼用させるようにしたりしてもよい。また、各数字の間の間隔を一定としないようにしたり、日１０桁表示目盛り１１における数字間隔を、日１桁表示目盛り１２の数字間隔より広げるようにしたりしてもよい。
【符号の説明】
【０１６１】
１、１Ａ…暦時計、６…日付用１０桁針、７…日付用１桁針、１１…日付１０桁表示目盛り、１２…日付１桁表示目盛り、４１…日１０桁送りカム、５１…日１桁送りカム、６０…日１桁送りレバー、７０…日１０桁送りレバー、８０…日１桁針車、９０…日１０桁針車。
【図１】
2011128027.tif 000003
【図２】
2011128027.tif 000004
【図３】
2011128027.tif 000005
【図４】
2011128027.tif 000006
【図５】
2011128027.tif 000007
【図６】
2011128027.tif 000008
【図７】
2011128027.tif 000009
【図８】
2011128027.tif 000010
【図９】
2011128027.tif 000011
【図１０】
2011128027.tif 000012
【図１１】
2011128027.tif 000013
【図１２】
2011128027.tif 000014
【図１３】
2011128027.tif 000015
【図１４】
2011128027.tif 000016
【図１５】
2011128027.tif 000017